(57)【要約】【課題】浴水循環装置の内部を洗浄する際の水の使用量を少なくできる浴水循環装置の内部洗浄装置を提供する。【解決手段】  浴室内に設置される浴槽３の吸込口２１と吐出口２１ａとの間に設けられる循環流路２２と、循環流路２２の途中に接続されるポンプ部２３と、を備える浴水循環装置２の内部洗浄装置１であって、浴槽３の側壁部の開口に連通するように接続される接続部１１と、接続部１１と連通する筒部１２と、を備えることを特徴とする。【選択図】図１
2013257082.tif 000002
【特許請求の範囲】
【請求項１】
浴室内に設置される浴槽の吸込口と吐出口との間に設けられる循環流路と、前記循環流路の途中に接続されるポンプ部と、を備える浴水循環装置の内部洗浄装置であって、前記浴槽の側壁部の開口に連通するように接続される接続部と、前記接続部と連通する筒部と、を備えることを特徴とする浴水循環装置の内部洗浄装置。
【請求項２】
前記接続部と前記浴槽壁面の下端部からの高さが略等しい水抜き孔を設けたことを特徴とする請求項１記載の浴水循環装置の内部洗浄装置。
【請求項３】
前記筒部は透明な材質で形成されることを特徴とする請求項１又は請求項２記載の浴水循環装置の内部洗浄装置。
【請求項４】
前記筒部の下部から前記接続部の間に多数の開口を有するメッシュ材が設けられたことを特徴とする請求項１乃至請求項３記載の浴水循環装置の内部洗浄装置。
【発明の詳細な説明】
【技術分野】
【０００１】
本発明は、浴水循環装置の内部洗浄装置に関するものである。
【背景技術】
【０００２】
従来から、微細気泡装置が配設され、浴槽の吸込み口から吸込んだ浴水に空気を混入させ、排出口で前記浴水を排出する浴水循環装置が知られている（例えば特許文献１参照）。
【先行技術文献】
【特許文献】
【０００３】
【特許文献１】特開２００７−２９６２３６号公報
【発明の概要】
【発明が解決しようとする課題】
【０００４】
ところで、特許文献１に記載されている浴水循環装置は、その内部を洗浄する際、浴槽に水や湯を溜め、洗浄剤を浴水に溶かして、循環装置を運転させたり給湯器の追い焚き運転をさせたりすることで内部が洗浄されていた。しかしながら、この方法は、洗浄が必要な部分は通水部だけであるにも拘らず、多量の水を必要とするため無駄が多かった。
【０００５】
本発明は上記従来の問題点に鑑みて発明したものであって、その目的とするところは、水の使用量が少ない浴水循環装置の内部洗浄装置を提供することを課題とするものである。
【課題を解決するための手段】
【０００６】
上記課題を解決するために、本発明は、以下のような構成とする。
【０００７】
浴水循環装置の内部洗浄装置は、浴室内に設置される浴槽の吸込口と吐出口との間に設けられる循環流路と、前記循環流路の途中に接続されるポンプ部と、を備える浴水循環装置の内部洗浄装置であって、前記浴槽の側壁部の開口に連通するように接続される接続部と、前記接続部と連通する筒部と、を備えることを特徴とする。
【０００８】
また、前記接続部と前記浴槽壁面の下端部からの高さが略等しい水抜き孔を設けることが好ましい。
【０００９】
また、前記筒部は透明な材質で形成されることが好ましい。
【００１０】
また、前記筒部の下部から前記接続部の間に多数の開口を有するメッシュ材が設けられることが好ましい。
【発明の効果】
【００１１】
本発明の浴水循環装置の内部洗浄装置は、浴水循環装置の内部を洗浄する際の水の使用量を少なくすることができる。
【図面の簡単な説明】
【００１２】
【図１】本実施形態の内部洗浄装置の分解斜視図である。
【図２】本実施形態の内部洗浄装置の断面図である。
【図３】本実施形態の浴水循環装置の要部斜視図である。
【図４】本実施形態の全体構成図である。
【発明を実施するための形態】
【００１３】
以下、本発明を添付図面に示す実施形態に基いて説明する。
【００１４】
図２に示すように、浴水循環装置２は、浴室内に設置される浴槽３に取り付けられる。
【００１５】
浴室は、本実施形態では、床パン、壁パネル、天井パネルが組み立てられてなる略矩形箱状をしたユニットバスにて構成されるが、特にユニットバスに限定されない。床パンには、浴槽３が設置される。
【００１６】
浴槽３は、本実施形態では平面視において浴室の略半分を占める略矩形状をしたものであるが、形状は特に限定されない。図４に示すように、浴槽３の側壁部３１に、浴槽３の内部空間と連通する吸込口２１（図３参照）と吐出口２１ａ（図３参照）とが設けられる。吸込口２１と吐出口２１ａとの間に、浴水循環装置２の循環流路２２が接続される。
【００１７】
浴水循環装置２は、少なくとも、循環流路２２と、循環流路２２の途中に接続されるポンプ部２３と、ポンプ部２３の回転数を制御する制御部（図示せず）と、を備え、吸込口２１から吸い込んだ浴水を再び吐出口２１ａから吐出させることができる。本実施形態では、図４に示すように、浴水循環装置２は、循環流路２２とポンプ部２３と制御部に加え、空気混入部２４と気液溶解部２５とを備えている。なお、浴水循環装置２が、空気混入部２４を備えて気液溶解部２５を備えず、気泡入り浴水を噴出するジェットバス装置であってもよい。またさらに、浴水循環装置２が空気混入部２４を備えなくてもよく、また、循環流路２２とポンプ部２３と制御部に加え他の構成を備えていてもよい。
【００１８】
循環流路２２は、本実施形態では、開口部材２６の吸込口２１となる部分に接続される往き配管２２ａと、開口部材２６の吐出口２１ａとなる部分に接続される戻り配管２２ｂと、で形成される。往き配管２２ａには、空気混入部２４が設けられる。空気混入部２４は、往き配管２２ａの一部に例えばベンチュリ管のようなくびれ部が形成されるとともに、このくびれ部に空気吸入管２４ａの下流端が接続されて形成される。空気吸入管２４ａの上流端が空気吸入口２４ｂとなっており、空気吸入口２４ｂは浴槽３のフランジ部に設けられてもよく、位置は特に限定されない。また空気吸入管２４ａには逆止弁２４ｃが設けられることが好ましい。往き配管２２ａと戻り配管２２ｂはポンプ・タンクユニット２７に接続される。
【００１９】
ポンプ・タンクユニット２７は、図４に示すように、外殻ケーシング内にポンプ部２３と気液溶解部２５とが収容されている。ポンプ部２３は、上流側に往き配管２２ａの下流端が接続される。ポンプ部２３は、特に図示しないが、駆動モータを備え、羽根等を有する回転部が駆動されて液体（浴水）を搬送するもので、駆動モータが制御されることにより回転部の回転数が任意に変更可能である。これにより、ポンプ部２３における液体の搬送能力が変更可能となっている。なお、ポンプ部２３は、液体を搬送することが可能であれば形式等は特に限定されない
気液溶解部２５は、図４に示すように、タンク状をしたものである。浴水の入口部２５ａと出口部２５ｂとが気液溶解部２５の底部の離れた位置に形成され、入口部２５ａにはポンプ部２３からの流路が接続され、出口部２５ｂには戻り配管２２ｂの上流端が接続される。入口部２５ａから流入した浴水は、出口部２５ｂに向けて図４中の矢印のような回転流となって、撹拌が行われ、空気混入部２４で混入された気泡の浴水への溶解が促進される。また、気液溶解部２５の上部には、余剰となった未溶解の空気を排出するため、空気抜き弁を備えた空気抜き部２５ｃが設けられる。なお、気液溶解部２５は、このようなものに限定されない。
【００２０】
図示しないが浴室外部に制御部が設けられている。ポンプ部２３の回転数を制御するもので、マイクロコンピュータからなり、制御プログラムにより駆動モータの制御が実行される。制御部は、制御ボックス内に収容される基板で構成される。この基板には、電力を供給するための電源線と、ポンプ部２３を制御するための信号線とが接続されている。電源線と信号線は、制御ボックス外に伸びており、電源線の先端は端子に接続され、信号線の先端は駆動モータに接続されている。
【００２１】
浴室には、使用者が制御部に指令を与えるための操作を行う遠隔操作部が設けられていてもよい。
【００２２】
内部洗浄装置１は、浴槽３の側壁部３１の開口に連通するように設置され、循環流路２２の洗浄をするものである。内部洗浄装置１は、具体的には図２に示すように、浴槽３の側壁部３１の開口に連通するように接続される接続部１１と、接続部１１と連通し上端が浴槽３の上端面よりも上方に位置する筒部１２と、が備えられている。本実施形態では、図１に示すように、開口部材２６の浴槽内側部材（不図示）が取り外され、これに代えて椀状をした浴槽側接続部１３が装着される。浴槽側接続部１３には中心孔（開口）が形成されており、この中心孔の周囲から浴槽３内側に向けて、先端にフランジ１３ａが形成された筒状部１６が突出している。
【００２３】
筒部１２は、上下を長手方向とし上端が開放されたもので、上下長さは、浴槽３の側壁部３１に設けられた開口から上端面までの長さと同じかそれよりも長く形成されてるのが好ましい。すなわち、内部洗浄装置１が開口部材２６に装着された時に、筒部１２の上端が浴槽３の上端面と同じかそれよりも上方に位置するのが好ましいが、筒部１２の上端が概ね浴槽３の上下長さの７割程度あればよい。この筒部１２は、透明な部材で形成されることが好ましい。筒部１２の下端部には、筒側接続部１４が装着される。筒側接続部１４は、上方に開口し筒部１２の下端が嵌入される筒部接続開口１５と、側壁に浴槽接続開口が形成された外殻と、が備えられている。この浴槽接続開口の周囲から外側に向けて、先端にフランジ１４ａが形成された筒状部１６ａが突出している。筒側接続部１４と浴槽側接続部１３とで接続部１１が構成される。
【００２４】
筒側接続部１４は、そのフランジ１４ａが浴槽側接続部１３のフランジ１３ａと重ね合わせられ、フランジ１３ａ、１４ａ同士が連結されることで、筒側接続部１４と浴槽側接続部１３とが連結される。フランジ１３ａ、１４ａ同士の連結は、本実施形態では図１に示すような所謂クイックファスナーからなる連結部材１７により連結される。この連結部材１７は、帯状をしたもので、重ね合わせられたフランジ１３ａ、１４ａが挿入される一つの開口が内部に形成されている。そして、前記開口に重ね合わせられたフランジ１３ａ、１４ａが挿入され、筒状部１６、１６ａの周方向に巻きつけられて、端部が連結されるものである。なお、特にクイックファスナーに限定されず、例えばボルト・ナットで締結されてもよい。
【００２５】
また、筒側接続部１４には、側壁に水抜き孔１８が形成され、水抜き孔１８に水抜き栓１９が着脱自在に取り付けられる。水抜き孔１８は、接続部１１と浴槽３壁面の下端部からの高さが略等しく設けられている。従って、筒側接続部１４に水が溜まり難く、筒部１２から水を抜き易くなる。
【００２６】
内部洗浄装置１の操作手順について説明する。操作者は、内部洗浄装置１を浴槽３に取り付ける。このとき、筒部１２が倒れないように、筒部１２と浴槽３上縁部とをテープ等で補強をするのが好ましい。次に、操作者は、筒部１２内に水を入れていき、水位を浴槽３の上端面付近に至らしめる。そして、筒部１２に洗浄液を投入する。この状態で、操作者は、遠隔操作部を操作して浴水循環装置２を動作させ、洗浄水を浴水循環装置２に循環させる。しばらく洗浄水を循環させた後、循環を止め洗浄成分に配管内部の汚れを剥離させる。所定の時間循環を止めた後、再度洗浄水を循環させ排水を行う。そして、再度筒部１２に水を投入しすすぎ運転を行う。
【００２７】
筒部１２が透明であれば、水の汚れが確認でき、又筒部１２に水や洗浄液を注ぐ際に視認することができる。
【００２８】
洗浄剤が液体でなく固体の場合、洗浄剤を溶かさずに運転を行うと、ポンプ部２３が故障してしまう可能性がある。そのため、筒部１２の下部にメッシュ材を設けることが好ましい。メッシュ材が設けられることにより、未溶解の洗浄剤がポンプ部２３に流入され難くなる。メッシュ材の多数の開口は、例えば一辺が０．３〜１．０ｍｍの四角形であってもよいし、直径が０．３〜１．０ｍｍの円形であってもよい。
【００２９】
以上のような構成にすることにより、水と洗浄剤の使用量が少ない内部洗浄装置１が形成される。
【符号の説明】
【００３０】
１    内部洗浄装置
１１  接続部
１２  筒部
１３  浴槽側接続部
１３ａ  フランジ
１４  筒側接続部
１４ａ  フランジ
１５  筒部接続部
１６  筒状部
１６ａ  筒状部
１７  連結部材
１８  水抜き孔
１９  水抜き栓
２    浴水循環装置
３    浴槽
【図１】
2013257082.tif 000003
【図２】
2013257082.tif 000004
【図３】
2013257082.tif 000005
【図４】
2013257082.tif 000006